(57)【特許請求の範囲】
【請求項１】
光伝送路を介して入力される光信号の波長分散を補償する可変分散補償器と、
前記可変分散補償器から出力された光信号を第１の部分と第２の部分に分岐する分岐器と、
前記光信号の第１の部分から原信号を再生する再生部と、
前記光信号の第２の部分を受信して、前記光伝送路及び前記可変分散補償器を経由した光信号の残留波長分散に応じて前記可変分散補償器を制御し、かつ前記残留波長分散の変動に対する感度が前記再生部よりも高いモニタ部と、
を有する光伝送装置。
【請求項２】
前記モニタ部は、
前記光信号の第２の部分を受信して電気信号に変換する受信器と、
前記受信器から出力された電気信号からクロック信号とデータ信号に分離し、該クロック信号を再生できないときに、クロック信号を再生できないことを示す信号を出力するクロックデータ再生器と、
前記クロックデータ再生器から前記クロック信号を再生できないことを示す信号を受信すると、前記クロックデータ再生器が前記クロック信号を再生可能となるように前記可変分散補償器の分散補償量を制御する制御部とを有し、
前記クロックデータ再生器が前記クロック信号を再生可能な範囲が、前記再生部がクロック信号を再生可能な再生範囲よりも狭いことを特徴とする請求項１に記載の光伝送装置。
【請求項３】
前記モニタ部は、
前記光信号の第２の部分を受信して電気信号に変換する受信器と、
前記受信器から出力された電気信号からクロック信号とデータ信号に分離するクロックデータ再生器と、
前記クロックデータ再生器から出力された前記データ信号から信号フレームを検出できるか否か判定し、該信号フレームを検出できないときに、信号フレームを検出できないことを示すフレーム同期外れ信号を出力するエラー検出器と、
前記エラー検出器から前記フレーム同期外れ信号を受信すると、前記エラー検出器が前記信号フレームを検出可能となるように前記可変分散補償器の分散補償量を制御する制御部とを有し、
前記エラー検出器が前記信号フレームを検出可能な範囲が、前記再生部が信号フレームを検出可能な範囲よりも狭いことを特徴とする請求項１に記載の光伝送装置。
【請求項４】
前記モニタ部は、
前記光信号の第２の部分を受信して電気信号に変換する受信器と、
前記受信器から出力された電気信号からクロック信号とデータ信号に分離するクロックデータ再生器と、
前記クロックデータ再生器から受信した前記データ信号から原信号を再生するときの符号誤り率を測定し、該符号誤り率を出力するエラー検出器と、
前記エラー検出器から出力された前記符号誤り率が、前記残留波長分散の最適値に対応する最小値よりも上昇すると、前記符号誤り率が該最小値となるように前記可変分散補償器の分散補償量を制御する制御部とを有し、
前記エラー検出器が前記符号誤り率を測定可能な範囲が、前記再生部が原信号に対する符号誤り率を測定可能な範囲よりも狭いことを特徴とする請求項１に記載の光伝送装置。
【請求項５】
前記再生部が再生する前記原信号は電気信号であり、
前記モニタ部が前記光信号の前記第２の部分を変換して得た電気信号の波形が劣化しない周波数帯域が、前記再生部が前記光信号の前記第１の部分を変換して得た電気信号の波形が劣化しない周波数帯域よりも狭い、請求項１〜４の何れか一項に記載の光伝送装置。
【請求項６】
前記モニタ部は、
前記光信号の第２の部分を受信してアナログ電気信号に変換する受信器と、
前記受信器から出力されたアナログ電気信号をデジタル信号に変換するアナログデジタル変換器と、
前記アナログデジタル変換器から出力された前記デジタル信号について、前記光信号における一つの信号値に対応するデジタル信号値が連続する信号持続期間が所定の閾値よりも短くなると、該信号持続期間が該所定の閾値よりも長くなるように前記可変分散補償器の分散補償量を制御する制御部とを有し、
前記信号持続期間が前記所定の閾値よりも長くなる残留波長分散の範囲が、前記再生部が原信号を再生可能な残留波長分散の範囲よりも狭い、請求項１に記載の光伝送装置。
【請求項７】
伝送すべき原信号を光信号に変換して送信する送信装置と、
前記送信装置と一端で接続され、前記送信装置から送信された光信号を伝送する光伝送路と、
前記光伝送路の他端と接続され、前記光伝送路を通った光信号を受信する受信装置とを有し、
前記受信装置は、
前記光伝送路を介して入力される光信号の波長分散を補償する可変分散補償器と、
前記可変分散補償器から出力された光信号を第１の部分と第２の部分に分岐する分岐器と、
前記光信号の第１の部分から原信号を再生する再生部と、
前記光信号の第２の部分を受信して、前記光伝送路及び前記可変分散補償器を経由した光信号の残留波長分散に応じて前記可変分散補償器を制御し、かつ前記残留波長分散の変動に対する感度が前記再生部よりも高いモニタ部と、
を有する光伝送システム。
【請求項８】
光伝送装置に対して着脱可能な送受信モジュールであって、
伝送すべき原信号を光信号に変換して出力する送信部と、
光伝送路を介して入力される光信号の波長分散を補償する可変分散補償器と、
前記可変分散補償器から出力された光信号を第１の部分と第２の部分に分岐する分岐器と、
前記光信号の第１の部分から原信号を再生する再生部と、
前記光信号の第２の部分を受信して、前記光伝送路及び前記可変分散補償器を経由した光信号の残留波長分散に応じて前記可変分散補償器を制御し、かつ前記残留波長分散の変動に対する感度が前記再生部よりも高いモニタ部と、
を有する送受信モジュール。
【請求項９】
光伝送路を介して入力される光信号の波長分散を補償する可変分散補償器と、前記可変分散補償器から出力された光信号から原信号を再生する再生部とを有する光伝送装置における波長分散補償方法であって、
前記可変分散補償器から出力された光信号から分岐された該光信号の一部を、該光信号の残留波長分散の変動に対する感度が前記再生部よりも高いモニタ部により受信するステップと、
前記モニタ部が、受信した前記光信号の一部から残留波長分散が最適化されているか否か判定するステップと、
前記モニタ部が、前記残留波長分散が最適化されていないと判定すると、前記可変分散補償器を制御するステップと、
を含む波長分散補償方法。
【請求項１０】
前記モニタ部は、
前記光信号の一部を受信して電気信号に変換する受信器と、
前記受信器から出力された電気信号からクロック信号とデータ信号に分離するクロックデータ再生器と、
前記クロックデータ再生器から受信した前記データ信号から原信号を再生するときの符号誤り率を測定し、該符号誤り率を出力するエラー検出器とを有し、
前記可変分散補償器を制御するステップは、
前記エラー検出器が前記符号誤り率を測定可能か否か判定するステップと、
前記エラー検出器が前記符号誤り率を測定できない場合、前記モニタ部は、前記エラー検出器が前記符号誤り率を測定できるようになるまで第１の調整量にて前記可変分散補償器の分散補償量を変化させるステップと、
前記エラー検出器が前記符号誤り率を測定できる場合、前記モニタ部は、前記符号誤り率が前記残留波長分散の最適値に対応する最小値になるまで、前記第１の調整量よりも小さい第２の調整量にて前記可変分散補償器の分散補償量を変化させるステップと、
を含むことを特徴とする請求項９に記載の波長分散補償方法。
【発明の詳細な説明】
【技術分野】
【０００１】
ここに開示される実施形態は、可変分散補償器を用いて光伝送路で生じた波長分散を補償する光伝送装置、光伝送装置用送受信モジュール及び光伝送システムならびに光伝送装置における波長分散補償方法に関する。
【背景技術】
【０００２】
従来より、高速かつ長距離の通信を行うために、光を信号媒体として利用する光伝送システムが使用されている。このような光伝送システムでは、光伝送路の分散特性に起因した波長分散により、光信号の信号波形が劣化する。そして信号波形が劣化すると、光信号に含まれる原信号に対して伝送誤りが生じる可能性が高くなる。そこで、光伝送システムでは、光信号を送受信する光伝送装置の受信部に設置された可変分散補償器により、光伝送路で生じる波長分散を補償する技術が開発されている。
【０００３】
例えば、可変分散補償器から光受信回路を介して出力される受信信号の符号誤り情報に基づいて、可変分散補償器の分散補償量を最適制御する分散補償装置が開発されている。また、分散補償された光信号を受光して得られる受信データ信号における、符号の種類に応じた符号誤り情報に応じて可変分散補償器の分散補償量を制御する分散補償方法が開発されている。
【先行技術文献】
【特許文献】
【０００４】
【特許文献１】特開２００２−２０８８９２号公報
【特許文献２】特開２００５−２８６３８２号公報
【発明の概要】
【発明が解決しようとする課題】
【０００５】
ここで、光伝送システムでは、光伝送路周囲の温度変動などの環境変化に起因して、光伝送路の分散特性が変化することがある。通信中に光伝送路の分散特性が変化すると、光伝送装置が受信した光信号から再生された原信号の符号誤り率が上昇する可能性がある。そこで光伝送装置は、通信中においても、可変分散補償器の分散補償量を必要に応じて修正する必要がある。しかし、原信号の符号誤り率が上昇した後に、光伝送装置が可変分散補償器の分散補償量を調整すると、調整後の分散補償量が不適切な場合、符号誤り率がさらに上昇してしまうおそれがある。例えば、光伝送路の分散が負の方向に変化した時に、光伝送装置が可変分散補償器の分散補償量も負の方向に変化させると、可変分散補償器は光伝送路の波長分散を補償することができない。そのため、可変分散補償器を通った光信号の波形がさらに劣化する。そして場合によっては、光伝送装置は、原信号に対する誤り訂正を行えなくなり、正常な通信ができなくなる。したがって、光伝送装置は、受信した光信号から再生される原信号に対する符号誤り率が増加する前に、光伝送路の分散特性の変動を補償できることが望ましい。
【０００６】
そこで、本明細書は、通信中において光伝送路の分散特性の変動が小さい場合でも、適切な分散特性補償が可能な光伝送装置及び光伝送システムを提供することを目的とする。
【課題を解決するための手段】
【０００７】
一つの実施形態によれば、光伝送装置が提供される。係る光伝送装置は、光伝送路を介して入力される光信号の波長分散を補償する可変分散補償器と、可変分散補償器から出力された光信号を第１の部分と第２の部分に分岐する分岐器と、光信号の第１の部分から原信号を再生する再生部と、光信号の第２の部分を受信して、光伝送路及び可変分散補償器を経由した光信号の残留波長分散に応じて可変分散補償器を制御し、かつ残留波長分散の変動に対する感度が再生部よりも高いモニタ部とを有する。
【０００８】
また、他の実施形態によれば、光伝送システムが提供される。係る光伝送システムは、伝送すべき原信号を光信号に変換して送信する送信装置と、送信装置と一端で接続され、送信装置から送信された光信号を伝送する光伝送路と、光伝送路の他端と接続され、光伝送路を通った光信号を受信する受信装置とを有する。この受信装置は、光伝送路を介して入力される光信号の波長分散を補償する可変分散補償器と、可変分散補償器から出力された光信号を第１の部分と第２の部分に分岐する分岐器と、光信号の第１の部分から原信号を再生する再生部と、光信号の第２の部分を受信して、光伝送路及び可変分散補償器を経由した光信号の残留波長分散に応じて可変分散補償器を制御し、かつ残留波長分散の変動に対する感度が再生部よりも高いモニタ部とを有する。
【０００９】
さらに他の実施形態によれば、光伝送装置に対して着脱可能な送受信モジュールが提供される。係る送受信モジュールは、伝送すべき原信号を光信号に変換して出力する送信部と、光伝送路を介して入力される光信号の波長分散を補償する可変分散補償器と、可変分散補償器から出力された光信号を第１の部分と第２の部分に分岐する分岐器と、光信号の第１の部分から原信号を再生する再生部と、光信号の第２の部分を受信して、光伝送路及び可変分散補償器を経由した光信号の残留波長分散に応じて可変分散補償器を制御し、かつ残留波長分散の変動に対する感度が再生部よりも高いモニタ部とを有する。
【００１０】
さらに他の実施形態によれば、光伝送路を介して入力される光信号の波長分散を補償する可変分散補償器と、可変分散補償器から出力された光信号から原信号を再生する再生部とを有する光伝送装置における波長分散補償方法が提供される。係る波長分散補償方法は、可変分散補償器から出力された光信号から分岐された光信号の一部を、その光信号の残留波長分散の変動に対する感度が再生部よりも高いモニタ部により受信するステップと、モニタ部が、受信した光信号の一部から残留波長分散が最適化されているか否か判定するステップと、モニタ部が、残留波長分散が最適化されていないと判定すると、可変分散補償器の分散補償量を制御するステップとを含む。
【発明の効果】
【００１１】
本明細書に開示された光伝送装置及び光伝送システムは、通信中において光伝送路の分散特性の変動が小さい場合でも、適切な分散特性補償が可能であるという効果を奏する。
【図面の簡単な説明】
【００１２】
【図１】一実施形態による光伝送システムの概略構成図である。
【図２】送信装置が有する送信部の概略構成図である。
【図３】受信装置が有する受信部の概略構成図である。
【図４】受信部のモニタ部が有する受信器の等価回路図である。
【図５】残留波長分散に対する再生部及びモニタ部により求められる符号誤り率の関係を示すグラフである。
【図６】受信装置の起動時において分散補償量の最適値を決定する処理の動作フローチャートである。
【図７】通信中において何れかの光伝送路で生じた波長分散量が変動したときに、分散補償量を調整する処理の動作フローチャートである。
【図８】他の実施形態による、受信装置が有する受信部の概略構成図である。
【図９】他の実施形態による受信部のモニタ部により制御される、通信中において何れかの光伝送路で生じた波長分散量が変動したときに、分散補償量を調整する処理の動作フローチャートである。
【図１０】さらに他の実施形態による、受信装置が有する受信部の概略構成図である。
【図１１】（ａ）は、光伝送路の波長分散による光信号の波形の劣化がない場合の光信号から変換された電気信号の模式図であり、（ｂ）は、光伝送路の波長分散による光信号の波形の劣化がある場合の光信号から変換された電気信号の模式図である。
【図１２】さらに他の実施形態による、受信装置が有する受信部の概略構成図である。
【図１３】さらに他の実施形態による、双方向通信が可能な光伝送装置の概略構成図である。
【発明を実施するための形態】
【００１３】
以下、図を参照しつつ、一つの実施形態による光伝送システムについて説明する。
この光伝送システムでは、送信装置から光伝送路を介して伝送された光信号を受信する受信装置が、その光信号を可変分散補償器を介して受信する再生部とモニタ部を有する。そして再生部は、可変分散補償器を通った光信号から原信号を再生する。一方、モニタ部は、再生部よりも、波長分散の変動に対する感度が高い構成となっている。そしてモニタ部は、波長分散の変動を検出し、可変分散補償器を制御する。
【００１４】
図１は、一つの実施形態による光伝送システム１００の概略構成図である。この光伝送システム１００は、波長分割多重（Wavelength Division Multiplex:WDM）型の伝送システムであり、各波長は、10Gbpsの通信速度を有する。
図１に示されるように、光伝送システム１００は、送信装置１と、受信装置２と、複数の光伝送路３−１、３−２、．．．、３−ｎ（ただしｎは自然数）と、複数の中継装置４−１、４−２、．．．、４−(n-1)とを有する。そして、送信装置１は光伝送路３−１に接続されている。一方、受信装置２は、光伝送路３−ｎに接続されている。そして、光伝送路３−ｉと３−(i+1)（ただし、１≦ｉ＜ｎ）は、中継装置４−ｉを介して接続されている。これにより、光伝送システム１００は、送信装置１から複数の光伝送路３−１、３−２、．．．、３−ｎと、複数の中継装置４−１、４−２、．．．、４−(n-1)を介して、受信装置２へ光信号を伝送可能となっている。
そしてこの光伝送システム１００では、送信装置１と接続された他の通信装置（図示せず）から、SONET（Synchronous Optical NETwork）/SDH(Synchronous Digital Hierarchy)やEthernet（登録商標）などの所定の通信規格に従った原信号が送信装置１に入力される。送信装置１は、その原信号を、例えば、SONET／SDH、Ethernet（登録商標）などの所定の通信規格に従ったフレームにマッピングする。そして送信装置１は、そのフレームを光信号として、各光伝送路３−ｉ及び各中継装置４−ｉを介して受信装置２へ伝送する。受信装置２は、受信した光信号からフレームを再生する。受信装置２は、再生されたフレームから原信号を取り出す。そして受信装置２は、送信装置１がその原信号を受信する際の通信規格と同じ通信規格に従って、その原信号を受信装置２と接続された他の通信装置（図示せず）へ出力する。
【００１５】
送信装置１は、複数の送信部１０−１、１０−２、．．．、１０−ｋ（ただしｋは２以上の整数）と、マルチプレクサ１１と、光増幅器１２とを有する。
各送信部１０−１、１０−２、．．．、１０−ｋは、それぞれ、受信装置２へ送信される原信号をフレーム単位でマッピングした単一波長の光信号を生成する。また各送信部１０−１、１０−２、．．．、１０−ｋが生成する光信号の波長は互いに異なる。
【００１６】
マルチプレクサ１１は、各送信部１０−１、１０−２、．．．、１０−ｋにより生成された互いに異なる波長を持つ光信号を多重化する。そして光増幅器１２は、マルチプレクサ１１により多重化された光信号を増幅し、増幅された光信号を光伝送路３−１へ出力する。なお、マルチプレクサ１１は、WDM型の光伝送装置で使用可能な様々なマルチプレクサの何れかとすることができる。また、光増幅器１２は、例えば、エルビウムまたはネオジウムなどの希土類が添加された光ファイバ増幅器など、光伝送装置で使用可能な様々な光増幅器の何れかとすることができる。
【００１７】
各光伝送路３−ｊ（ただし、１≦ｊ≦ｎ）は、例えば、１本または複数本のシングルモード光ファイバである。
また、各中継装置４−ｉ（ただし、１≦ｉ＜ｎ）は、それぞれ、光増幅器４１と固定分散補償器４２とを有する。そして各中継装置４−ｉは、光伝送路３−ｉから受信した、多重化された光信号を光増幅器４１により増幅する。また各中継装置４−ｉは、固定分散補償器４２により多重化された光信号に対して、光伝送路３−ｉで生じた波長分散を一括で補償する。そして各中継装置４−ｉは、増幅され、かつ波長分散が補償された、多重化された光信号を光伝送路３−(i+1)へ出力する。
【００１８】
なお、光増幅器４１は、例えば、エルビウムまたはネオジウムなどの希土類が添加された光ファイバ増幅器とすることができる。また、固定分散補償器４２は、例えば、光伝送路３−ｉが持つ分散特性を反転させた分散特性を持つ分散補償ファイバとすることができる。
また、送信装置１と受信装置２との間の伝送距離が短い場合、各中継装置４−ｉは省略されてもよい。
【００１９】
受信装置２は、複数の受信部２０−１、２０−２、．．．、２０−ｋ（ただしｋは２以上の整数）と、可変分散補償器２１−１、２１−２、．．．、２１−ｋと、デマルチプレクサ２２と、光増幅器２３と、固定分散補償器２４を有する。
受信装置２は、光伝送路３−ｎから受信した、多重化された光信号を、光増幅器２３により増幅する。また受信装置２は、固定分散補償器２４により、多重化された光信号について、光伝送路３−ｎで生じた波長分散を一括で補償する。
なお、光増幅器２３は、例えば、エルビウムまたはネオジウムなどの希土類が添加された光ファイバ増幅器とすることができる。また、固定分散補償器２４は、例えば、光伝送路３−ｎが持つ分散特性を反転させた分散特性を持つ波長分散補償ファイバとすることができる。
【００２０】
図１において、受信装置２では、光増幅器２３により増幅され、かつ固定分散補償器２４により波長分散が補償された、多重化された光信号がデマルチプレクサ２２に入力される。デマルチプレクサ２２は、入力された光信号を、複数の単一波長の光信号に分波する。そしてデマルチプレクサ２２は、各波長の光信号を、それぞれ別個の可変分散補償器２１−１、２１−２、．．．、２１−ｋへ出力する。なお、デマルチプレクサ２２は、WDM型の光伝送装置で使用可能な様々なデマルチプレクサの何れかとすることができる。
【００２１】
各中継装置４−ｉが有する固定分散補償器４１及び受信装置２が有する固定分散補償器２４の波長分散特性は、各光伝送路３−ｉの波長分散特性を反転させたものと完全には一致しない。そのため、各中継装置４−ｉが有する固定分散補償器４１及び受信装置２が有する固定分散補償器２４は、全ての波長の光信号に対して波長分散を完全に補償することができない。
そこで、図１のシステムでは、可変分散補償器２１−１、２１−２、．．．、２１−ｋを、それぞれ、波長分散されたそれぞれの光信号に対応して配置する。
そして、可変分散補償器２１−１、２１−２、．．．、２１−ｋによって、各中継装置４−ｉが有する固定分散補償器４１及び受信装置２が有する固定分散補償器２４が補償しきれなかった、各波長毎の残留波長分散を適切に補償する。
【００２２】
また、可変分散補償器２１−１、２１−２、．．．、２１−ｋは、通信の実行中に、温度変動などの環境変化などに起因して生じる残留分散の変動を適切に補償する。
【００２３】
そのために、可変分散補償器２１−１、２１−２、．．．、２１−ｋは、それぞれ、対応する受信部２０−１、２０−２、．．．、２０−ｋからの制御信号にしたがって、分散補償量を変化させることが可能となっている。ここで、可変分散補償器２１−１、２１−２、．．．、２１−ｋは、それぞれ、例えば、ファイバブラッググレーティング（Fiber Bragg Grating： FBG）とすることができる。あるいは、可変分散補償器２１−１、２１−２、．．．、２１−ｋは、それぞれ、バーチャリ・イメージド・フェイズド・アレイ（Virtually Imaged Phased Array：VIPA）型の可変分散補償器であってもよい。あるいはまた、可変分散補償器２１−１、２１−２、．．．、２１−ｋは、それぞれ、マイクロオプティクス型、あるいは石英系平面光波回路（Planar lightwave circuit：PLC）型の可変分散補償器であってもよい。
【００２４】
可変分散補償器２１−１、２１−２、．．．、２１−ｋを経由することにより、波長分散が補償された単一波長の光信号は、それぞれ、受信部２０−１、２０−２、．．．、２０−ｋに入力される。
【００２５】
受信部２０−１、２０−２、．．．、２０−ｋは、受信した光信号から原信号を再生する。
【００２６】
図２は、送信部１０−ｍ（ただし、１≦ｍ≦ｋ）の概略構成図である。図２に示されるように、送信部１０−ｍは、光源１０１と、受信器１０２と、符号化器１０３と、パラレル／シリアル変換器１０４と、変調器１０５とを有する。なお、送信部１０−ｍの構成及び機能は、光源１０１が発する光の波長を除いて、他の送信部１０−ｉ（ただし、１≦ｉ≦ｋ、かつｉ≠ｍ）の構成及び機能と同一である。そのため、以下では、一つの送信部１０−ｍについてのみ説明する。
【００２７】
光源１０１は、送信部１０−ｍが光信号を生成している間、所定強度の光を出力する。そのために、光源１０１は、例えば、各光伝送路３−１、３−２、．．．、３−ｎの零分散波長とほぼ等しい波長を持つ光を出力するレーザダイオードを有する。
【００２８】
受信器１０２は、他の通信装置（図示せず）から、SONET/SDHまたはEthernet（登録商標）などの原信号を所定の通信規格にしたがって受信する。そして受信器１０２は、受信した原信号を符号化器１０３へ送る。そのために、受信器１０２は、例えば、原信号が光信号である場合、アバランシェフォトダイオード（avalanche photodiode、APD）またはPINフォトダイオードなどの光電変換素子を有する。さらに、受信器１０２は、光電変換素子から出力された電気信号を増幅する増幅回路と、増幅回路により増幅された電気信号をデジタル信号に変換するアナログ−デジタル変換器を有してもよい。なお、送信部１０−１が、他の通信装置から電気信号として原信号を受信する場合には、受信器１０２は、その原信号の通信規格に応じた通信インターフェース回路を有していてもよい。
【００２９】
符号化器１０３は、受信器１０２から受信した原信号を、例えば、SONET／SDH、Ethernet（登録商標）などの所定の通信規格に従ったフレームにマッピングする。また符号化器１０３は、フレームに前方誤り訂正（Forward Error Correction、FEC）符号などの誤り訂正符号及びヘッダ情報を追加することにより、フレーム単位の符号化信号を生成する。符号化器１０３として、例えば、上記のような機能を実現する集積回路を用いることができる。そして符号化器１０３は、生成された符号化信号をパラレル／シリアル変換器１０４へ送る。
【００３０】
パラレル／シリアル変換器１０４は、符号化器１０３から受信した符号化信号をシリアル信号に変換する集積回路であり、例えば、SerDes（SERializer/DESerializer）とすることができる。またパラレル／シリアル変換器１０４は、符号化された信号にクロック信号を重畳する。そしてパラレル／シリアル変換器１０４は、シリアル信号に変換された信号を変調器１０５へ送る。
【００３１】
変調器１０５は、パラレル／シリアル変換器１０４から受信した信号に従って、光源１０１から出力された光を変調することにより、送信用の光信号を生成する。そして変調器１０５は、生成された光信号をマルチプレクサ１１へ出力する。変調器１０５は、例えば、マッハツェンダー型変調器とその変調器を駆動するドライバ回路を有する。
なお、送信部１０−ｍは、他の通信装置から受信した原信号に基づいて光源１０１から出力される光の強度を直接変調する直接変調方式の装置としてもよい。
【００３２】
図３は、受信部２０−ｍ（ただし、１≦ｍ≦ｋ）の概略構成図である。図３に示されるように、受信部２０−ｍは、ビームスプリッタ３０と、再生部３１と、モニタ部３２とを有する。なお、受信部２０−ｍの構成及び機能は、他の受信部２０−ｉ（ただし、１≦ｉ≦ｋ、かつｉ≠ｍ）の構成及び機能と同一である。そのため、以下では、一つの受信部２０−ｍについてのみ説明する。
ビームスプリッタ３０は、可変分散補償器２１−ｍを通って分散補償がなされた光信号を、再生部３１とモニタ部３２へ分岐する。ビームスプリッタ３０は、例えば、再生部３１へ向かう光の強度と、モニタ部３２へ向かう光の強度との比率が１対１となるビームスプリッタとすることができる。
【００３３】
再生部３１は、ビームスプリッタ３０を介して受信した光信号から原信号を再生する。そして再生部３１は、再生された原信号を他の通信装置（図示せず）へ送信する。そのために、再生部３１は、受信器３１１と、再生器３１２と、送信器３１３とを有する。
受信器３１１は、光信号を受信して電気信号に変換する。そのために、受信器３１１は、光信号を電気信号に変換する光電変換器として、例えば、10 Gigabit Small Form Factor Pluggable（XFP）タイプのトランシーバを有する。そして受信器３１１は、その電気信号からクロック信号とデータ信号を分離して、データ信号を抽出し、抽出されたデータ信号を再生器３１２へ出力する。受信器３１１は、電気信号からクロック信号とデータ信号を分離する回路として、例えば、SerDesを有する。
【００３４】
再生器３１２は、受信器３１１から受信したデータ信号から、送信装置１においてフレームの作成に使用された通信規格にしたがってフレームを検出する。そして再生器３１２は、検出されたフレームからデマッピングされた原信号に対して、FECなどの符号誤り訂正処理を実行する。その際、再生器３１２は、符号誤り率を測定してもよい。再生器３１２は、上記の処理を実行するために、例えば、フレーマ（Framer）あるいはOTN（Optical Transport Network）に準拠した再生用の集積回路を有することができる。
再生器３１２は、再生された原信号を送信器３１３へ出力する。
【００３５】
送信器３１３は、再生器３１２から受信した原信号を、送信装置１が他の装置から原信号を受信する際の通信規格と同じ通信規格に従って他の通信装置へ送信する。そのために、送信器３１３は、例えば、その通信規格に従って動作するインターフェース回路を有する。
【００３６】
モニタ部３２は、通信中、ビームスプリッタ３０を介して受信した光信号に基づいて、その光信号からクロック信号及びデータ信号が再生可能か否か、あるいはそのデータ信号に対する符号誤り率の変動を監視する。このクロック信号またはデータ信号が再生不能になること、あるいは符号誤り率の増加は、残留波長分散が変動することに応じて発生する。そこでモニタ部３２は、クロック信号またはデータ信号が再生不能になるか、符号誤り率が増加した場合には、残留波長分散が最適な値となるように、可変分散補償器２１−ｍをフィードバック制御することにより、可変分散補償器２１−ｍの分散補償量を調整する。また、モニタ部３２は、受信装置２の起動時にも、ビームスプリッタ３０を介して受信した光信号に基づいて、クロック信号及びデータ信号が再生可能か否か、あるいはそのデータ信号に対する符号誤り率の変動を監視することにより、分散補償量の最適値を求める。そこで、図３に示されるように、モニタ部３２は、受信器３２１と、クロックデータ再生器３２２と、エラー検出器３２３と、制御回路３２４とを有する。
【００３７】
受信器３２１は、ビームスプリッタ３０を介して受信した光信号を電気信号に変換する。図４に、受信器３２１の等価回路図を示す。図４に示されるように、受信器３２１は、例えば、光電変換器PDと、トランスインピーダンス型の増幅回路TIAとを有する。光電変換器PDは、例えば、APDまたはPINフォトダイオードとすることができる。なお、受信器３２１は、XFPタイプのトランシーバであってもよい。
さらに、受信器３２１は、残留波長分散の変動に応じて、クロック信号またはデータ信号が再生不能になるか、符号誤り率が増加することが、再生部３１よりもモニタ部３２の方が生じ易いように設計される。すなわち、受信器３２１は、モニタ部３２の残留波長分散の変動に対する感度が、再生部３１の残留波長分散の変動に対する感度よりも高くなるように設計される。例えば、受信器３２１は、光信号から変換された電気信号の波形が劣化しない周波数帯域が、再生部３１の受信器３１１よりも狭くなるように設計される。例えば、図４に示される受信器３２１では、その通過帯域BWは、次式で表される。
【数１】
0005504759.tif 000002
ただし、gは、オープンループの利得を表す。またRは、増幅器TIAに含まれる抵抗器が持つ抵抗値を表す。さらにCは、増幅器TIAに含まれるコンデンサの容量を表す。そこで、増幅器TIAのRC時定数を大きくすることにより、受信器３２１は、再生部３１の受信器３１１よりも狭い通過帯域を持つことができる。そのため、モニタ部３２の残留波長分散の変動に対する感度は、再生部３１の残留波長分散の変動に対する感度よりも高くなる。
【００３８】
あるいは、受信器３２１の接地端子の抵抗値を、再生部３１の受信器３１１よりも高くすることにより、受信器３２１は、再生部３１の受信器３１１よりも狭い通過帯域を持つことができる。
さらにまた、増幅器TIAに含まれるオペアンプAMPが、ヘテロ接合バイポーラトランジスタ（Heterojunction Bipolar Transistor：HBT）を有し、かつ特定の周波数でピーキングを発生させるように受信器３２１の回路定数が設定されてもよい。あるいは、HBTの製造条件を調整することにより、増幅器TIAは特定の周波数でピーキングを発生させることができる。これにより、受信器３２１は、再生部３１の受信器３１１よりも狭い通過帯域を持つことができる。
受信器３２１は、得られた電気信号をクロックデータ再生器３２２へ出力する。
【００３９】
クロックデータ再生器３２２は、受信器３２１から受信した電気信号から、クロック信号とデータ信号を分離する。そのために、クロックデータ再生器３２２は、例えば、位相同期回路を有する。そして位相同期回路は、受信した電気信号に含まれるエッジを検出して、そのエッジのタイミングと一致するように、クロックデータ再生器３２２内のリファレンスクロックを調整することにより、クロック信号を再生する。クロックデータ再生器３２２は、例えば、クロックデータリカバリ（Clock Date Recovery：CDR）回路、あるいは、SerDesとすることができる。
【００４０】
なお、クロックデータ再生器３２２がクロック信号を再生可能な電気信号の周波数の範囲は、再生部３１の受信器３１１が有するクロック信号とデータ信号を分離する回路がクロック信号を再生可能な電気信号の周波数の範囲よりも狭くてもよい。これにより、モニタ部３２は、残留波長分散の変動に対する感度を、再生部３１の残留波長分散の変動に対する感度よりも高くできる。
【００４１】
クロックデータ再生器３２２は、受信器３２１から受信した電気信号からクロック信号とデータ信号を分離して、クロック信号を再生することができた場合、データ信号をエラー検出器３２３へ送信する。一方、クロックデータ再生器３２２は、受信器３２１から受信した電気信号からクロック信号を再生できない場合、クロック信号を再生できないことを示す同期外れ信号を制御回路３２４へ送信する。
【００４２】
エラー検出器３２３は、クロックデータ再生器３２２から受信したデータ信号からフレームを検出できるか否か判定する。そしてエラー検出器３２３は、フレームを検出できる場合には、検出されたフレームからデマッピングした原信号に対してFECなどの符号誤り訂正処理を実行することにより、符号誤り率を測定する。エラー検出器３２３は、測定された符号誤り率を制御回路３２４へ出力する。
一方、エラー検出器３２３は、クロックデータ再生器３２２から受信したデータ信号からフレームを検出できない場合、フレームを検出できないことを示すフレーム同期外れ信号を制御回路３２４へ出力する。
なお、エラー検出器３２３は、上記の処理を実行するために、例えば、フレーマあるいはOTNに準拠した再生用の集積回路を有することができる。
【００４３】
制御回路３２４は、マイクロプロセッサユニット、揮発性の半導体メモリ、不揮発性の半導体メモリ及び周辺回路を有する。そして制御回路３２４は、エラー検出器３２３から入力された符号誤り率またはフレーム同期外れ信号、若しくはクロックデータ再生器３２２から入力された同期外れ信号に基づいて、可変分散補償器２１−ｍの分散補償量を最適制御する。
【００４４】
例えば、制御回路３２４は、エラー検出器３２３から入力された符号誤り率に基づいて可変分散補償器２１−ｍの分散補償量を最適制御する場合、その符号誤り率が、残留波長分散の最適値に対応する値よりも上昇すると、分散補償量を変化させる。そして制御回路３２４は、可変分散補償器２１−ｍの分散補償量を、符号誤り率が残留波長分散の最適値に対応する値にまで低下したときの分散補償量に設定する。
【００４５】
また、制御回路３２４は、エラー検出器３２３からフレーム同期外れ信号を受信した場合、エラー検出器３２３からフレーム同期外れ信号を受信しなくなるまで、可変分散補償器２１−ｍの分散補償量を変化させる。そして制御回路３２４は、可変分散補償器２１−ｍの分散補償量を、エラー検出器３２３からフレーム同期外れ信号を受信しなくなったときの分散補償量に設定する。
同様に、制御回路３２４は、クロックデータ再生器３２２から同期外れ信号を受信した場合、クロックデータ再生器３２２から同期外れ信号を受信しなくなるまで、可変分散補償器２１−ｍの分散補償量を変化させる。そして制御回路３２４は、可変分散補償器２１−ｍの分散補償量を、クロックデータ再生器３２２から同期外れ信号を受信しなくなったときの分散補償量に設定する。
【００４６】
図５は、残留波長分散に対する再生部３１及びモニタ部３２により求められる符号誤り率の関係を示すグラフである。図５に示すグラフにおいて、横軸は残留波長分散を示し、縦軸は符号誤り率を示す。また曲線５００は、再生部３１の再生器３１２により求められる符号誤り率を示し、曲線５１０は、モニタ部３２のエラー検出器３２３により求められる符号誤り率を示す。さらに、点線間の範囲５２０は、エラー検出器３２３がフレームを検出できる範囲を示す。すなわち、残留波長分散が範囲５２０から外れると、エラー検出器３２３はフレーム同期外れ信号を出力する。さらにまた、一点鎖線間の範囲５３０は、クロックデータ再生器３２２がクロック信号を再生できる範囲を示す。すなわち、残留波長分散が範囲５３０から外れると、クロックデータ再生器３２２は同期外れ信号を出力する。
【００４７】
図５から明らかなように、モニタ部３２のエラー検出器３２３により求められる符合誤り率５１０は、残留波長分散が最適分散値から負または正の何れの方向に変動しても、再生部３１の再生器３１２により求められる符号誤り率５００よりも急激に上昇する。そのため、モニタ部３２の制御回路３２４が、エラー検出器３２３により求められた符号誤り率が上昇したときに、可変分散補償器２１−ｍの分散補償量を最適化することにより、受信部２０−ｍは、再生部３１の符号誤り率が上昇することを防止できる。したがって、通信中に何れかの光伝送路３−ｊで生じる波長分散の量が変動しても、受信部２０−ｍは、再生部３１が光伝送路を介して受信した光信号から原信号を再生できなくなることを防止できる。
【００４８】
また、エラー検出器３２３がフレームを検出できる範囲５２０及びクロックデータ再生器３２２がクロック信号を再生できる範囲５３０も、再生部３１の再生器３１２により求められる符号誤り率がほぼ最適となる範囲よりも狭い。そのため、モニタ部３２の制御回路３２４が、フレーム同期外れ信号または同期外れ信号を受信したときに、可変分散補償器２１−ｍの分散補償量を最適化することにより、受信部２０−ｍは、再生部３１が原信号を再生するときの符号誤り率の上昇を防止できる。
【００４９】
さらに、受信装置２の起動時において、制御回路３２４は、残留波長分散がエラー検出器３２３がフレームを検出できる範囲５２０に含まれるときにのみ、分散補償量を細かく変化させて可変分散補償器２１−ｍの最適な分散補償量を決定できる。また、残留波長分散がその範囲５２０から外れるとき、制御回路３２４は分散補償量を大きく変化させることができる。一方、制御回路３２４が、再生部３１の再生器３１２により求められた符号誤り率５００に基づいて最適な分散補償量を求めようとすると、再生器３１２が原信号を再生可能な残留波長分散の範囲全体にわたって細かく分散補償量を変化させる必要がある。そのため、制御回路３２４は、再生部３１の再生器３１２により求められた符号誤り率に基づいて最適な分散補償量が求められる場合よりも短時間で最適な分散補償量を求めることができる。
【００５０】
なお、モニタ部３２のエラー検出器３２３がフレームを検出できる範囲５２０、すなわち、エラー検出器３２３が原信号を再生可能な範囲は、再生部３１が原信号を再生する際の符号誤り率が略最小値となる範囲と同程度かそれ以下に設定されることが好ましい。このように範囲５２０を設定することにより、モニタ部３２は、再生部３１における符号誤り率が上昇する前に、可変分散補償器２１−ｍの分散補償量を最適化することができる。例えば、再生部３１が原信号を再生可能な残留波長分散の範囲が、最適な残留波長分散を中心として±800psec/nmである場合、エラー検出器３２３がフレームを検出できる範囲５２０は、最適な残留波長分散を中心として±350psec/nmとすることができる。
【００５１】
図６は、受信部２０−ｍが有するモニタ部３２の制御回路３２４により制御される、受信装置２の起動時において分散補償量の最適値を決定する処理の動作フローチャートを示す。
受信部２０−ｍが有するモニタ部３２の制御回路３２４は、受信装置２が起動すると、受信部２０−ｍと対応する可変分散補償器２１−ｍの分散補償量を初期値に設定する（ステップＳ１０１）。なお、初期値は、例えば、調整可能な分散補償量の上限値あるいは下限値である。次に、制御回路３２４は、モニタ部３２において送信装置１から各光伝送路３−１、３−２、．．．、３−ｎ及び各中継装置４−１、４−２、．．．、４−(n-1)を介して送信された光信号の受信を開始する（ステップＳ１０２）。
【００５２】
その後、制御回路３２４は、クロックデータ再生器３２２から同期外れ信号を受信しているか否か判定する（ステップＳ１０３）。そして制御回路３２４が同期外れ信号を受信している場合（ステップＳ１０３−Ｙｅｓ）、制御回路３２４は可変分散補償器２１−ｍの分散補償量を粗調整用変更量だけシフトする（ステップＳ１０５）。なお、粗調整用変更量は、例えば、50psec/nmである。また、分散補償量の初期値が調整可能な分散補償量の上限値である場合、制御回路３２４は、分散補償量を粗調整用変更量だけ減少させるようにシフトする。一方、分散補償量の初期値が調整可能な分散補償量の下限値である場合、制御回路３２４は、分散補償量を粗調整用変更量だけ増加させるようにシフトする。
【００５３】
一方、制御回路３２４が同期外れ信号を受信していない場合（ステップＳ１０３−Ｎｏ）、制御回路３２４は、エラー検出器３２３からフレーム同期外れ信号を受信しているか否か判定する（ステップＳ１０４）。そして制御回路３２４がフレーム同期外れ信号を受信している場合（ステップＳ１０４−Ｙｅｓ）、制御回路３２４は可変分散補償器２１−ｍの分散補償量を粗調整用変更量だけシフトする（ステップＳ１０５）。
ステップＳ１０５の後、制御回路３２４は、制御をステップＳ１０３へ戻す。
【００５４】
一方、ステップＳ１０４にて制御回路３２４がフレーム同期外れ信号を受信していない場合（ステップＳ１０４−Ｎｏ）、制御回路３２４は、エラー検出器３２３により測定された符号誤り率を受信する。そして制御回路３２４は、その符号誤り率と現在設定されている分散補償量を対応付けて、制御回路３２４が有するメモリに記憶する（ステップＳ１０６）。
【００５５】
次に、制御回路３２４は、符号誤り率が改善したか否か判定する（ステップＳ１０７）。符号誤り率が改善した場合（ステップＳ１０７−Ｙｅｓ）、制御回路３２４は可変分散補償器２１−ｍの分散補償量を微調整用変更量だけシフトする（ステップＳ１０８）。なお、現在の分散補償量に対して測定された符号誤り率が前回の分散補償量に対して測定された符号誤り率よりも低下すると、制御回路３２４は、符号誤り率が改善したと判定する。また微調整用変更量は、粗調整用変更量よりも小さく、例えば、20psec/nmである。また、分散補償量の初期値が調整可能な分散補償量の上限値である場合、制御回路３２４は、分散補償量を微調整用変更量だけ減少させるようにシフトする。一方、分散補償量の初期値が調整可能な分散補償量の下限値である場合、制御回路３２４は、分散補償量を微調整用変更量だけ増加させるようにシフトする。なお、ステップＳ１０７において、現在の分散補償量が、符号誤り率が測定された最初の分散補償量である場合も、制御回路３２４は、制御をステップＳ１０８へ移行させる。
ステップＳ１０８の後、制御回路３２４は、制御をステップＳ１０６に戻す。
【００５６】
一方、符号誤り率が改善しなかった場合（ステップＳ１０７−Ｎｏ）、制御回路３２４は、メモリに記憶されている符号誤り率のうち、最小符号誤り率に対応する分散補償量となるように、可変分散補償器２１−ｍを制御する（ステップＳ１０９）。なお、現在の分散補償量に対して測定された符号誤り率が前回の分散補償量に対して測定された符号誤り率以上となった場合、制御回路３２４は、符号誤り率は改善しなかったと判定する。
最後に、制御回路３２４は、最小符号誤り率に対応する分散補償量を最適補償量としてメモリに記憶する（ステップＳ１１０）。可変分散補償器２１−ｍがこの最適補償量を用いて波長分散を補償したとき、残留波長分散は最適値となる。そして制御回路３２４は、受信部２０−ｍに関して、送信装置１との間で通信を行える通常運用を開始する。
【００５７】
図７は、受信部２０−ｍが有するモニタ部３２の制御回路３２４により制御される、通信中において何れかの光伝送路３−ｊ（１≦ｊ≦ｎ）で生じた波長分散量が変動したときに、可変分散補償器２１−ｍの分散補償量を調整する処理の動作フローチャートを示す。
先ず、受信部２０−ｍが有するモニタ部３２の制御回路３２４は、エラー検出器３２３により測定された現在の符号誤り率を受信する。そして制御回路３２４は、現在の符号誤り率が最適な残留波長分散値に対応する符号誤り率よりも上昇したか否か判定する（ステップＳ２０１）。現在の符号誤り率が最適な残留波長分散値に対応する符号誤り率と一致している場合（ステップＳ２０１−Ｎｏ）、制御回路３２４は、ステップＳ２０１の処理を繰り返す。
【００５８】
一方、現在の符号誤り率が最適な残留波長分散値に対応する符号誤り率よりも上昇している場合（ステップＳ２０１−Ｙｅｓ）、制御回路３２４は、最適補償量を修正するために、分散補償量を正または負の何れの方向に変化させるべきか決定する。そのために、先ず、制御回路３２４は、可変分散補償器２１−ｍの分散補償量を最適補償量から負の方向へ所定量だけシフトする（ステップＳ２０２）。なお、所定量は、例えば、20psec/nmである。また制御回路３２４は、現在の符号誤り率をそれまでの最適補償量と対応付けて制御回路３２４が有するメモリに記憶する。
【００５９】
次に、制御回路３２４は、符号誤り率が改善したか否か判定する（ステップＳ２０３）。符号誤り率が改善した場合（ステップＳ２０３−Ｙｅｓ）、制御回路３２４は分散補償量の調整方向を負の方向に設定する（ステップＳ２０６）。なお、現在の分散補償量に対して測定された符号誤り率がそれまでの最適補償量に対して測定された符号誤り率よりも低下すると、制御回路３２４は、符号誤り率が改善したと判定する。
【００６０】
一方、符号誤り率が改善しなかった場合（ステップＳ２０３−Ｎｏ）、制御回路３２４は、可変分散補償器２１−ｍの分散補償量を最適補償量から正の方向へ所定量だけシフトする（ステップＳ２０４）。なお、現在の分散補償量に対して測定された符号誤り率がそれまでの最適補償量に対して測定された符号誤り率以上であれば、制御回路３２４は、符号誤り率が改善しなかったと判定する。
そして制御回路３２４は、再度、符号誤り率が改善したか否か判定する（ステップＳ２０５）。符号誤り率が改善した場合（ステップＳ２０５−Ｙｅｓ）、制御回路３２４は分散補償量の調整方向を正の方向に設定する（ステップＳ２０７）。一方、符号誤り率が改善しなかった場合（ステップＳ２０５−Ｎｏ）、制御回路３２４は分散補償量の調整方向を負の方向に設定する（ステップＳ２０６）。
【００６１】
ステップＳ２０６またはＳ２０７において、分散補償量の調整方向が設定されると、制御回路３２４はその調整方向に沿って分散補償量を変化させ、最適な分散補償量を決定する。
そこで、ステップＳ２０６またはＳ２０７の後、制御回路３２４は、現在の符号誤り率と現在設定されている分散補償量を対応付けてメモリに記憶する（ステップＳ２０８）。次に、制御回路３２４は、符号誤り率が改善したか否か判定する（ステップＳ２０９）。符号誤り率が改善した場合（ステップＳ２０９−Ｙｅｓ）、制御回路３２４は、分散補償量を現在の設定値から、設定された調整方向へ微調整用変更量だけシフトする（ステップＳ２１０）。なお、微調整用変更量は、例えば、20psec/nmである。
ステップＳ２１０の後、制御回路３２４は、制御をステップＳ２０８に戻す。
【００６２】
一方、符号誤り率が改善しなかった場合（ステップＳ２０９−Ｎｏ）、制御回路３２４は、メモリに記憶されている符号誤り率のうち、最小符号誤り率に対応する分散補償量となるように、可変分散補償器２１−ｍを制御する（ステップＳ２１１）。
最後に、制御回路３２４は、最小符号誤り率に対応する分散補償量を修正された最適補償量としてメモリに記憶する（ステップＳ２１２）。そして制御回路３２４は、分散補償量の調整処理を終了する。
【００６３】
以上説明してきたように、一つの実施形態に係る光伝送システムでは、光伝送システムが有する受信装置において、原信号を再生する再生部よりも残留波長分散の変動に対する感度が高いモニタ部がその残留波長分散を監視する。そしてモニタ部が、残留波長分散に応じて可変分散補償器の分散補償量を最適制御する。このように、モニタ部は、通信中において光伝送路の分散特性が変動することにより残留波長分散が変動しても、再生部が原信号を再生するときの符号誤り率が上昇する前に可変分散補償器の分散補償量を最適化できる。そのため、この光伝送システムは、受信装置が受信した光信号から再生された原信号に対する符号誤り率が上昇することを防止できる。このように、この光伝送システムは、通信中において光伝送路の分散特性の変動が小さい場合でも、適切に分散特性を補償できる。
【００６４】
さらに、この光伝送システムは、起動時において可変分散補償器の分散補償量の最適値を決定する際、モニタ部のエラー検出器が符号誤り率を測定できるようになるまで、比較的大きな調整量にて分散補償量を変動させることができる。そしてこの光伝送システムは、残留波長分散とその最適値の差がモニタ部のエラー検出器が符号誤り率を測定できるようになるまで減少した後、分散補償量の調整量を小さくすればよい。そのため、この光伝送システムは、最適な分散補償量を決定するまでに要する試行回数を少なくできるので、通信を開始可能になるまでの起動時間を短縮することができる。
【００６５】
なお、本発明は、上記の実施形態に限定されるものではない。例えば、図３に示されるモニタ部３２の制御回路３２４は、クロックデータ再生器３２２からの同期外れ信号を参照せず、エラー検出器３２３からのフレーム同期外れ信号及び符号誤り率のみを用いて可変分散補償器２１−ｍを制御してもよい。この場合、制御回路３２４は、図６に示される、受信装置２の起動時において分散補償量の最適値を決定する処理において、ステップＳ１０３の処理が省略される。
【００６６】
さらに、図１に示される受信装置２は、図３に示される受信部２０−ｍとは異なる構成を持つ受信部を有していてもよい。
図８は、他の実施形態による、受信装置２が有する受信部２０１−ｍ（ただし、１≦ｍ≦ｋ）の概略構成図である。なお、図８に示される受信部２０１−ｍの各構成要素には、図３に示された受信部２０−ｍの対応する構成要素と同一の参照番号を付した。図８に示されるように、受信部２０１−ｍは、モニタ部３２がエラー検出器を有さない点で図３に示された受信部２０−ｍと異なる。
【００６７】
図８に示される受信部２０１−ｍでは、モニタ部３２の制御回路３２４は、クロックデータ再生器３２２がクロック信号が再生できるか否かのみに基づいて、受信部２０１−ｍに対応する可変分散補償器２１−ｍを制御する。図５に示されるように、モニタ部３２のクロックデータ再生器３２２がクロック信号を再生できる残留波長分散の範囲自体、再生部３１の再生器３１２が原信号に対して誤り訂正可能な残留波長分散の範囲よりも狭い。そのため、モニタ部３２の制御回路３２４は、クロックデータ再生器３２２がクロック信号を再生できる範囲内に残留波長分散が含まれるように可変分散補償器２１−ｍを制御する。これにより、制御回路３２４は、受信装置２が受信した光信号から再生される原信号に対する符号誤り率が上昇することを防止できる。
【００６８】
受信装置２の起動時において、受信部２０１−ｍが対応する可変分散補償器２１−ｍの分散補償量の最適値を決定する場合、図６に示されたフローチャートのうち、ステップＳ１０４、Ｓ１０６〜Ｓ１０９の処理が省略される。そして制御回路３２４は、ステップＳ１０３においてクロックデータ再生器３２２から同期外れ信号を受信しなくなると、ステップＳ１１０において、そのときの分散補償量を最適補償量として、制御回路３２４が有するメモリに記憶する。
【００６９】
あるいは、制御回路３２４は、残留波長分散がクロックデータ再生器３２２がクロック信号を再生可能な残留波長分散の上限値と下限値の平均値となるように、可変分散補償器２１−ｍの最適補償量を決定してもよい。この場合、制御回路３２４は、クロックデータ再生器３２２から同期外れ信号を受信しなくなったときの分散補償量を第１の分散補償量として制御回路３２４が有するメモリに記憶する。その後、制御回路３２４は、ステップＳ１０５において分散補償量をシフトさせた方向と同一の方向に、クロックデータ再生器３２２から再度同期外れ信号を受信するようになるまで、分散補償量をさらにシフトする。そして制御回路３２４は、再度同期外れ信号を受信したときの分散補償量を第２の分散補償量とする。そして制御回路３２４は、第１の分散補償量と第２の分散補償量の平均値を最適補償量とし、可変分散補償器２１−ｍの分散補償量がその最適補償量となるように、可変分散補償器２１−ｍを制御する。
【００７０】
図９は、他の実施形態による受信部２０１−ｍが有するモニタ部３２の制御回路３２４により制御される、通信中において何れかの光伝送路で生じた波長分散量が変動したときに、分散補償量を調整する処理の動作フローチャートを示す。
【００７１】
先ず、受信部２０１−ｍが有するモニタ部３２の制御回路３２４は、クロックデータ再生器３２２から同期外れ信号を受信したか否か判定する（ステップＳ３０１）。制御回路３２４が同期外れ信号を受信していない場合（ステップＳ３０１−Ｎｏ）、制御回路３２４は、ステップＳ３０１の処理を繰り返す。
【００７２】
一方、制御回路３２４が同期外れ信号を受信している場合（ステップＳ３０１−Ｙｅｓ）、クロックデータ再生器３２２は、クロック信号を再生できなくなっている。そこで制御回路３２４は、可変分散補償器２１−ｍの分散補償量を現在の設定値から負の方向へ所定量だけシフトする（ステップＳ３０２）。なお、所定量は、例えば、50psec/nmである。そして制御回路３２４は、クロックデータ再生器３２２から同期外れ信号を受信したか否か判定する（ステップＳ３０３）。そして制御回路３２４が同期外れ信号を受信しなくなった場合（ステップＳ３０３−Ｎｏ）、制御回路３２４は現在の分散補償量を修正された最適補償量として制御回路３２４が有するメモリに記憶する（ステップＳ３０８）。そして制御回路３２４は、分散補償量の調整処理を終了する。
【００７３】
一方、制御回路３２４が依然として同期外れ信号を受信している場合（ステップＳ３０３−Ｙｅｓ）、制御回路３２４は、現在の分散補償量が可変分散補償器２１−ｍの分散補償量の下限値よりも大きいか否か判定する（ステップＳ３０４）。現在の分散補償量が可変分散補償器２１−ｍの分散補償量の下限値よりも大きい場合（ステップＳ３０４−Ｙｅｓ）、制御回路３２４は、制御をステップＳ３０２へ戻す。
一方、現在の分散補償量が可変分散補償器２１−ｍの分散補償量の下限値に達している場合（ステップＳ３０４−Ｎｏ）、制御回路３２４は、分散補償量をメモリに記憶されている最適補償量に再設定する（ステップＳ３０５）。
【００７４】
その後、制御回路３２４は、分散補償量を現在の設定値からから正の方向へ所定量だけシフトする（ステップＳ３０６）。そして制御回路３２４は、再度、クロックデータ再生器３２２から同期外れ信号を受信したか否か判定する（ステップＳ３０７）。そして制御回路３２４が同期外れ信号を受信しなくなった場合（ステップＳ３０７−Ｎｏ）、制御回路３２４は現在の分散補償量を修正された最適補償量としてメモリに記憶する（ステップＳ３０８）。そして制御回路３２４は、分散補償量の調整処理を終了する。
【００７５】
一方、制御回路３２４が依然として同期外れ信号を受信している場合（ステップＳ３０７−Ｙｅｓ）、制御回路３２４は、制御をステップＳ３０６へ戻す。そして制御回路３２４は、同期外れ信号を受信しなくなるまで、ステップＳ３０６〜Ｓ３０７の処理を繰り返す。
【００７６】
なお、制御回路３２４は、クロックデータ再生器３２２がクロック信号を再生できる範囲内に残留波長分散が含まれる場合、再生部３１の再生器３１２により測定された符号誤り率が最小となるように、可変分散補償器２１−ｍの最適分散補償量を決定してもよい。
【００７７】
図１０は、さらに他の実施形態による、受信装置２が有する受信部２０２−ｍ（ただし、１≦ｍ≦ｋ）の概略構成図である。なお、図１０に示される受信部２０２−ｍの各構成要素には、図３に示された受信部２０−ｍの対応する構成要素と同一の参照番号を付した。図１０に示されるように、受信部２０２−ｍは、モニタ部３２がクロックデータ再生器３２２及びエラー検出器３２３の代わりに、アナログ−デジタル変換器３２５を有する点で図３に示された受信部２０−ｍと異なる。
そしてこの受信部２０２−ｍは、可変分散補償器２１−ｍを制御するために、残留波長分散が最適なものでなくなると、モニタ部３２の受信器３２１から出力される電気信号の信号波形が劣化することを利用する。
【００７８】
図１１（ａ）は、波長分散による光信号の波形の劣化がない場合に、受信器３２１により光信号から変換された電気信号１１０１の模式図である。また図１１（ｂ）は、波長分散による光信号の波形の劣化がある場合に、受信器３２１により光信号から変換された電気信号１１０２の模式図である。また、図１１（ａ）及び図１１（ｂ）において、横軸は経過時間を表し、縦軸は信号値を表す。
図１１（ａ）に示されるように、波長分散による光信号の波形の劣化がない場合、信号値が０から１に変わるとき、あるいは信号値が１から０に変わるときに、電気信号１１０１は急峻な立ち上がりエッジまたは立ち下がりエッジを有する。
一方、図１１（ｂ）に示されるように、波長分散による光信号の波形が劣化がある場合、信号値が０から１に変わるとき、あるいは信号値が１から０に変わるときに、電気信号１１０２は緩やかに変化する。そのため、電気信号１１０１及び１１０２が所定の閾値Th1よりも小さい値を有するときに、対応する信号値が０となる場合、電気信号１１０２において一つの信号値０が連続する期間τ’は、電気信号１１０１において一つの信号値０が連続する期間τよりも短い。
そこで、受信部２０２−ｍのモニタ部３２は、一つの信号値に対応する電気信号の長さに基づいて、可変分散補償器２１−ｍの分散補償量を制御する。
【００７９】
アナログ−デジタル変換器３２５は、受信器３２１から出力された電気信号をデジタル信号に変換する。そしてアナログ−デジタル変換器３２５はそのデジタル信号を制御回路３２４へ出力する。
制御回路３２４は、アナログ−デジタル変換器３２５から受信したデジタル信号について、受信した光信号における一つの信号値に対応するデジタル信号が連続する期間の長さを測定する。なお、一つの信号値に対応するデジタル信号が連続する期間の長さを、以下では信号持続期間という。例えば、送信装置１により変調された光信号における信号値０に対応するデジタル信号値が１以下の場合、制御回路３２４は、デジタル信号値が１以下となる信号持続期間を測定する。そして信号持続期間が、予め設定された所定期間よりも短い場合、制御回路３２４は、信号持続期間が予め設定された所定期間以上となるまで、可変分散補償器２１−ｍの分散補償量を調整する。なお、所定期間は、例えば、波長分散による光信号の波形の劣化がない場合に、受信器３２１により光信号から変換された電気信号における信号持続期間の５割〜７割の何れかとすることができる。
【００８０】
この実施形態においても、モニタ部３２の受信器３２１の残留波長分散の変動に対する感度が、再生部３１の受信器３１１の残留波長分散の変動に対する感度よりも高くなるように、受信器３２１は設計される。そのため、モニタ部３２は、再生部３１の再生器３１２が原信号を再生する際の符号誤り率が上昇する前に、可変分散補償器２１−ｍの分散補償量を最適化できる。
【００８１】
図１２は、さらに他の実施形態による、受信装置２が有する受信部２０３−ｍ（ただし、１≦ｍ≦ｋ）の概略構成図である。なお、図１２に示される受信部２０３−ｍの各構成要素には、図３に示された受信部２０−ｍの対応する構成要素と同一の参照番号を付した。図１２に示されるように、受信部２０３−ｍは、モニタ部３２とビームスプリッタ３０の間に、固定分散補償器３３が配置されている点で図３に示された受信部２０−ｍと異なる。
【００８２】
図５に示されるように、再生部３１の再生器３１２により測定された符号誤り率が最小となる残留波長分散が、モニタ部３２のエラー検出器３２３により測定された符号誤り率が最小となる残留波長分散と等しいことが好ましい。この場合、モニタ部３２のエラー検出器３２３が符号誤り率を測定できる残留波長分散の範囲が、再生部３１の再生器３１２が符号誤り率を測定できる残留波長分散の範囲に完全に含まれる。そのため、モニタ部３２の制御回路３２４は、エラー検出器３２３が符号誤り率を測定できる範囲内に残留波長分散が含まれるように可変分散補償器２１−ｍを制御することで、制御回路３２４は再生部３１が原信号を再生する際の符号誤り率の上昇を防止できる。
しかし、再生部３１のチャープ特性がモニタ部３２のチャープ特性と異なる場合がある。そのような場合、再生部３１の再生器３１２により測定された符号誤り率が最小となる残留波長分散が、モニタ部３２のエラー検出器３２３により測定された符号誤り率が最小となる残留波長分散と異なる可能性がある。そこで、図１２に示される受信部２０３−ｍは、ビームスプリッタ３０によりモニタ部３２へ向けて分岐された光信号を固定分散補償器３３に通すことにより、再生部３１のチャープ特性とモニタ部３２のチャープ特性の差を補償できる。なお、固定分散補償器３３は、例えば、分散補償量の調整機構を有さないFBG、あるいは波長分散補償ファイバとすることができる。
【００８３】
また、受信部２０３−ｍにおいて、固定分散補償器３３は、ビームスプリッタ３０とモニタ部３２との間に配置される代わりに、ビームスプリッタ３０と再生部３１の間に配置されてもよい。この場合、固定分散補償器３３がビームスプリッタ３０により再生部３１へ向けて分岐された光信号に対して波長分散を補償することにより、受信部２０３−ｍは、再生部３１のチャープ特性とモニタ部３２のチャープ特性の差を補償できる。
【００８４】
また、受信部２０３−ｍのモニタ部３２は、図３に示される構成に限られない。例えば、受信部２０３−ｍのモニタ部３２は、図８に示されるようにエラー検出器を有さなくてもよい。あるいは、受信部２０３−ｍのモニタ部３２は、図１０に示された受信部２０２−ｍのモニタ部３２と同様の構成を有していてもよい。
【００８５】
図１３は、さらに他の実施形態による、WDM型の双方向通信可能な光伝送装置５の概略構成図である。図１３に示されるように、光伝送装置５は、マルチプレクサ５１、デマルチプレクサ５２、光増幅器５３、５４、固定分散補償器５５及び複数の送受信モジュール５６−１、５６−２、．．．、５６−ｋ（ただしｋは２以上の整数）を有する。また、各送受信モジュール５６−ｍ（ただし、１≦ｍ≦ｋ）は、それぞれ、送信部５７−ｍと、可変分散補償器５８−ｍと、受信部５９−ｍを有する。そして各送受信モジュール５６−ｍは、光伝送装置５に対して着脱自在に装着される。そのため、光伝送装置５は、装着される送受信モジュールの数を増やすことにより、同時に送受信可能な通信量を増やすことができる。なお、光伝送装置５に対して各送受信モジュール５６−ｍを着脱するための機構は、例えば、光伝送装置に送受信モジュールを着脱自在とする公知の様々な機構の何れかとすることができるため、その機構の詳細な説明は省略する。
【００８６】
光信号の送信に関して、光伝送装置５では、各送受信モジュール５６−ｍが有する各送信部５７−ｍが、他の光伝送装置（図示せず）へ送信する原信号をフレーム単位でマッピングした単一波長の光信号を生成する。そして、マルチプレクサ５１は、各送信部５７−ｍにより生成された互いに異なる波長を持つ光信号を多重化する。そして光増幅器５３は、マルチプレクサ５１により多重化された光信号を増幅し、増幅された光信号を光伝送路へ出力する。
【００８７】
なお、各送受信モジュール５６−ｍが有する送信部５７−ｍは、図２に示される送信装置１の送信部１０−ｍと同様の機能及び構成を有することができる。また、マルチプレクサ５１及び光増幅器５３は、それぞれ、図１に示される送信装置１のマルチプレクサ１１及び光増幅器１２と同様の構成を有することができる。
【００８８】
一方、光信号の受信に関して、光伝送装置５は、光伝送路から受信した多重化された光信号を、光増幅器５４により増幅する。また光伝送装置５は、固定分散補償器５５により、多重化された光信号について、光伝送路で生じた波長分散を一括で補償する。そしてデマルチプレクサ５２は、多重化された光信号を、単一波長ごとの光信号に分波する。
そして、送受信モジュール５６−ｍが有する可変分散補償器５８−ｍは、光伝送路を通して受信され、デマルチプレクサ５２により分波された単一波長の光信号に対して残留波長分散を補償する。また各送受信モジュール５６−ｍが有する受信部５９−ｍは、受信した単一波長の光信号から、伝送された原信号を再生する。さらに受信部５９−ｍは、対応する可変分散補償器５８−ｍの分散補償量を最適制御する。
【００８９】
なお、送受信モジュール５６−ｍが有する可変分散補償器５８−ｍは、図１に示される受信装置２の可変分散補償器２１−ｍと同様の機能及び構成を有することができる。また受信部５９−ｍは、それぞれ、図３、図８、図１０または図１２に示された受信部の何れかとすることができる。そして受信部５９−ｍは、図６に示されるフローチャートに従って、送受信モジュール５６−ｍの起動時における、対応する可変分散補償器５８−ｍの分散補償量の最適値を決定する。さらに受信部５９−ｍは、通信中において、光伝送路で生じる波長分散の変動が生じたときに、図７または図９に示されるフローチャートに従って、可変分散補償器５８−ｍの分散補償量の最適値を調整する。
【００９０】
また、デマルチプレクサ５２、光増幅器５４及び固定分散補償器５５は、それぞれ、図１に示される受信装置２のデマルチプレクサ２２、光増幅器２３及び固定分散補償器２４と同様の構成を有することができる。
【００９１】
また、本発明のさらに他の実施形態は、単一波長の光信号を用いる光伝送装置であってもよい。この場合、例えば、光伝送装置は、図１３に示されるWDM型の光伝送装置５におけるマルチプレクサ５１及びデマルチプレクサ５２が省略され、かつ１個の送受信モジュール５６−１のみを有する装置とすることができる。
【００９２】
さらにまた、本発明が適用される光伝送システム及び光伝送装置は、10Gbpsの通信速度で通信を行うものに限られず、例えば、40Gbpsの通信速度で通信を行うものでもよい。そして本発明が適用される、40Gbpsの通信速度を持つ光伝送システム及び光伝送装置の受信部も、図３、図８、図１０または図１２の何れかに示された構成を有することができる。また、40Gbpsの通信速度を有する光伝送装置では、受信部の再生部が原信号を再生可能な残留波長分散の範囲は、例えば、最適な残留波長分散を中心として±100psec/nmである。この場合、例えば、受信部のモニタ部がフレームを検出できる範囲が最適な残留波長分散を中心として±20psec/nmとなるように、モニタ部は設計されればよい。
以上のように、当業者は、本発明の範囲内で、実施される形態に合わせて様々な変更を行うことができる。
【００９３】
以上説明した実施形態及びその変形例に関し、更に以下の付記を開示する。
（付記１）
光伝送路を介して入力される光信号の波長分散を補償する可変分散補償器と、
前記可変分散補償器から出力された光信号を第１の部分と第２の部分に分岐する分岐器と、
前記光信号の第１の部分から原信号を再生する再生部と、
前記光信号の第２の部分を受信して、前記光伝送路及び前記可変分散補償器を経由した光信号の残留波長分散に応じて前記可変分散補償器を制御し、かつ前記残留波長分散の変動に対する感度が前記再生部よりも高いモニタ部と、
を有する光伝送装置。
（付記２）
前記モニタ部は、
前記光信号の第２の部分を受信して電気信号に変換する受信器と、
前記受信器から出力された電気信号からクロック信号とデータ信号に分離し、該クロック信号を再生できないときに、クロック信号を再生できないことを示す信号を出力するクロックデータ再生器と、
前記クロックデータ再生器から前記クロック信号を再生できないことを示す信号を受信すると、前記クロックデータ再生器が前記クロック信号を再生可能となるように前記可変分散補償器の分散補償量を制御する制御部とを有し、
前記クロックデータ再生器が前記クロック信号を再生可能な範囲が、前記再生部がクロック信号を再生可能な再生範囲よりも狭いことを特徴とする付記１に記載の光伝送装置。
（付記３）
前記モニタ部は、
前記光信号の第２の部分を受信して電気信号に変換する受信器と、
前記受信器から出力された電気信号からクロック信号とデータ信号に分離するクロックデータ再生器と、
前記クロックデータ再生器から出力された前記データ信号から信号フレームを検出できるか否か判定し、該信号フレームを検出できないときに、信号フレームを検出できないことを示すフレーム同期外れ信号を出力するエラー検出器と、
前記エラー検出器から前記フレーム同期外れ信号を受信すると、前記エラー検出器が前記信号フレームを検出可能となるように前記可変分散補償器の分散補償量を制御する制御部とを有し、
前記エラー検出器が前記信号フレームを検出可能な範囲が、前記再生部が信号フレームを検出可能な範囲よりも狭いことを特徴とする付記１に記載の光伝送装置。
（付記４）
前記モニタ部は、
前記光信号の第２の部分を受信して電気信号に変換する受信器と、
前記受信器から出力された電気信号からクロック信号とデータ信号に分離するクロックデータ再生器と、
前記クロックデータ再生器から受信した前記データ信号から原信号を再生するときの符号誤り率を測定し、該符号誤り率を出力するエラー検出器と、
前記エラー検出器から出力された前記符号誤り率が、前記残留波長分散の最適値に対応する最小値よりも上昇すると、前記符号誤り率が該最小値となるように前記可変分散補償器の分散補償量を制御する制御部とを有し、
前記エラー検出器が前記符号誤り率を測定可能な範囲が、前記再生部が原信号に対する符号誤り率を測定可能な範囲よりも狭いことを特徴とする付記１に記載の光伝送装置。
（付記５）
前記モニタ部は、
前記光信号の第２の部分を受信してアナログ電気信号に変換する受信器と、
前記受信器から出力されたアナログ電気信号をデジタル信号に変換するアナログデジタル変換器と、
前記アナログデジタル変換器から出力された前記デジタル信号について、前記光信号における一つの信号値に対応するデジタル信号値が連続する信号持続期間が所定の閾値よりも短くなると、該信号持続期間が該所定の閾値よりも長くなるように前記可変分散補償器の分散補償量を制御する制御部とを有し、
前記信号持続期間が前記所定の閾値よりも長くなる残留波長分散の範囲が、前記再生部が原信号を再生可能な残留波長分散の範囲よりも狭いことを特徴とする付記１に記載の光伝送装置。
（付記６）
前記分岐器と前記モニタ部の間に配置され、前記再生部が原信号を再生する際の符号誤り率が最小値となる第１の最適残留波長分散と、前記モニタ部の第２の最適波長分散とを一致させるように、前記光信号の第２の部分に対して波長分散を補償する固定分散補償器をさらに有する、付記１〜５の何れか一項に記載の光伝送装置。
（付記７）
前記分岐器と前記再生部の間に配置され、前記再生部が原信号を再生する際の符号誤り率が最小値となる第１の最適残留波長分散と、前記モニタ部の第２の最適波長分散とを一致させるように、前記光信号の第１の部分に対して波長分散を補償する固定分散補償器をさらに有する、付記１〜５の何れか一項に記載の光伝送装置。
（付記８）
伝送すべき原信号を光信号に変換して送信する送信装置と、
前記送信装置と一端で接続され、前記送信装置から送信された光信号を伝送する光伝送路と、
前記光伝送路の他端と接続され、前記光伝送路を通った光信号を受信する受信装置とを有し、
前記受信装置は、
前記光伝送路を介して入力される光信号の波長分散を補償する可変分散補償器と、
前記可変分散補償器から出力された光信号を第１の部分と第２の部分に分岐する分岐器と、
前記光信号の第１の部分から原信号を再生する再生部と、
前記光信号の第２の部分を受信して、前記光伝送路及び前記可変分散補償器を経由した光信号の残留波長分散に応じて前記可変分散補償器を制御し、かつ前記残留波長分散の変動に対する感度が前記再生部よりも高いモニタ部と、
を有する光伝送システム。
（付記９）
光伝送装置に対して着脱可能な送受信モジュールであって、
伝送すべき原信号を光信号に変換して出力する送信部と、
光伝送路を介して入力される光信号の波長分散を補償する可変分散補償器と、
前記可変分散補償器から出力された光信号を第１の部分と第２の部分に分岐する分岐器と、
前記光信号の第１の部分から原信号を再生する再生部と、
前記光信号の第２の部分を受信して、前記光伝送路及び前記可変分散補償器を経由した光信号の残留波長分散に応じて前記可変分散補償器を制御し、かつ前記残留波長分散の変動に対する感度が前記再生部よりも高いモニタ部と、
を有する送受信モジュール。
（付記１０）
光伝送路を介して入力される光信号の波長分散を補償する可変分散補償器と、前記可変分散補償器から出力された光信号から原信号を再生する再生部とを有する光伝送装置における波長分散補償方法であって、
前記可変分散補償器から出力された光信号から分岐された該光信号の一部を、該光信号の残留波長分散の変動に対する感度が前記再生部よりも高いモニタ部により受信するステップと、
前記モニタ部が、受信した前記光信号の一部から残留波長分散が最適化されているか否か判定するステップと、
前記モニタ部が、前記残留波長分散が最適化されていないと判定すると、前記可変分散補償器の分散補償量を制御するステップと、
を含む波長分散補償方法。
（付記１１）
前記モニタ部は、
前記光信号の一部を受信して電気信号に変換する受信器と、
前記受信器から出力された電気信号からクロック信号とデータ信号に分離するクロックデータ再生器と、
前記クロックデータ再生器から受信した前記データ信号から原信号を再生するときの符号誤り率を測定し、該符号誤り率を出力するエラー検出器とを有し、
前記可変分散補償器の分散補償量を最適制御するステップは、
前記エラー検出器が前記符号誤り率を測定可能か否か判定するステップと、
前記エラー検出器が前記符号誤り率を測定できない場合、前記モニタ部は、前記エラー検出器が前記符号誤り率を測定できるようになるまで第１の調整量にて前記可変分散補償器の分散補償量を変化させるステップと、
前記エラー検出器が前記符号誤り率を測定できる場合、前記モニタ部は、前記符号誤り率が前記残留波長分散の最適値に対応する最小値になるまで、前記第１の調整量よりも小さい第２の調整量にて前記可変分散補償器の分散補償量を変化させるステップと、
を含むことを特徴とする付記１０に記載の波長分散補償方法。
【符号の説明】
【００９４】
１００    光伝送システム
１    送信装置
２    受信装置
３−１、３−２、．．．、３−ｎ    光伝送路
４−１、４−２、．．．、４−(n-1)    中継装置
１０−１、１０−２、．．．、１０−ｋ    送信部
１１    マルチプレクサ
１２    光増幅器
２０−１、２０−２、．．．、２０−ｋ    受信部
２１−１、２１−２、．．．、２１−ｋ    可変分散補償器
２２    デマルチプレクサ
２３、４１    光増幅器
２４、３３、４２    固定分散補償器
３０    ビームスプリッタ
３１    再生部
３１１    受信器
３１２    再生器
３１３    送信器
３２    モニタ部
３２１    受信器
３２２    クロックデータ再生器
３２３    エラー検出器
３２４    制御回路
３２５    アナログ−デジタル変換器
５    光伝送装置
５１    マルチプレクサ
５２    デマルチプレクサ
５３、５４    光増幅器
５５    固定分散補償器
５６−１、５６−２、．．．、５６−ｋ    送受信モジュール
５７−１、５７−２、．．．、５７−ｋ    送信部
５８−１、５８−２、．．．、５８−ｋ    可変分散補償器
５９−１、５９−２、．．．、５９−ｋ    受信部
【図１】
0005504759.tif 000003
【図２】
0005504759.tif 000004
【図３】
0005504759.tif 000005
【図４】
0005504759.tif 000006
【図５】
0005504759.tif 000007
【図６】
0005504759.tif 000008
【図７】
0005504759.tif 000009
【図８】
0005504759.tif 000010
【図９】
0005504759.tif 000011
【図１０】
0005504759.tif 000012
【図１１】
0005504759.tif 000013
【図１２】
0005504759.tif 000014
【図１３】
0005504759.tif 000015